(57)【要約】【課題】放射能汚染された土壌やコンクリートを効率よく除染するための除染液を提供しようとする。【解決手段】アルミニウム、鉄、苛性カリが水に溶解されてなる水溶液と、第一リン酸塩、第二リン酸塩、トリルトリアゾール、ベンゾトリアゾールのいずれかまたは両方、脂肪族ジカルボン酸、脂肪族ジカルボン酸の金属塩のいずれかまたは両方が水に溶解されてなる水溶液と、セルロースのフィブリルが水に分散されてなる分散液と、ケイ酸ナトリウム水溶液と、活性白土と、界面活性剤とを含んでなる組成物にクエン酸を添加してｐＨ８〜９に調整した液に、さらに過酸化水素を加えてなる放射能除染液である。【選択図】なし【特許請求の範囲】
【請求項１】
アルミニウム、鉄、苛性カリが水に溶解されてなる水溶液と、
トリルトリアゾール、ベンゾトリアゾールのいずれかまたは両方、脂肪族ジカルボン酸、脂肪族ジカルボン酸の金属塩のいずれかまたは両方、第一リン酸塩、第二リン酸塩、が水に溶解されてなる水溶液と、
セルロースのフィブリルが水に分散されてなる分散液と、
ケイ酸ナトリウム水溶液と、
活性白土と、
界面活性剤と
を含んでなる組成物にクエン酸を添加してｐＨ８〜９に調整した液に、さらに過酸化水素を加えてなる放射能除染液であることにある。
【請求項２】
アルミニウム  ５０〜２００重量部
鉄            １〜３重量部
苛性カリ      ３００重量部
水            ４００〜６００重量部
からなるＡ液、
トリルトリアゾール、ベンゾトリアゾールのいずれかまたは両方  １２０重量部
脂肪族ジカルボン酸、脂肪族ジカルボン酸の金属塩のいずれかまたは両方  ２０〜４０重量部
第一リン酸塩  １〜３重量部
第二リン酸塩  ２〜４重量部
水            ７００〜１０００重量部
からなるＢ液、
セルロースのフィブリル３０〜１００重量部が１０００重量部の水に分散されてなるＣ液、
濃度１〜３重量％のケイ酸ナトリウム水溶液、
活性白土、
および界面活性剤
が重量比で１３０：３００〜６００：２００〜４００：１０〜３０：１０〜３０：３０〜６０の比率で含まれてなる組成物にクエン酸を添加してｐＨ８〜９に調整した液に、さらに該液に対して０．０１〜０．２重量％の過酸化水素を加えてなる請求項１に記載の放射能除染液。
【発明の詳細な説明】
【技術分野】
【０００１】本発明は、放射能で汚染された土壌やコンクリートを除染する除染液に関する。
【背景技術】
【０００２】  鉄系の放射性金属廃棄物については、脂肪族カルボン酸を含む除染液などに浸漬して、放射性金属廃棄物の表面部を金属塩として除染液中に溶出させて除染を行う化学的除染操作を含む放射性金属廃棄物の処理方法が開示されている。（例えば、特許文献１参照）。【０００３】  しかし、放射能汚染された土壌やコンクリートについては効率よく除染する方法が見出されていない。
【先行技術文献】
【特許文献】
【０００４】
【特許文献１】特開２０１０−１５１５９６号公報
【発明の開示】
【発明が解決しようとする課題】
【０００５】  本発明の目的は、放射能汚染された土壌やコンクリートを効率よく除染するための除染液を提供しようとすることである。
【課題を解決するための手段】
【０００６】  本発明の要旨とするところは、
アルミニウム、鉄、苛性カリが水に溶解されてなる水溶液と、
トリルトリアゾール、ベンゾトリアゾールのいずれかまたは両方、脂肪族ジカルボン酸、脂肪族ジカルボン酸の金属塩のいずれかまたは両方、第一リン酸塩、第二リン酸塩、が水に溶解されてなる水溶液と、
セルロースのフィブリルが水に分散されてなる分散液と、
ケイ酸ナトリウム水溶液と、
活性白土と、
界面活性剤と
を含んでなる組成物にクエン酸を添加してｐＨ８〜９に調整した液に、さらに過酸化水素を加えてなる放射能除染液であることにある。【０００７】  また、本発明の要旨とするところは、
アルミニウム  ５０〜２００重量部
鉄            １〜３重量部
苛性カリ      ３００重量部
水            ４００〜６００重量部
からなるＡ液、
トリルトリアゾール、ベンゾトリアゾールのいずれかまたは両方  １２０重量部
脂肪族ジカルボン酸、脂肪族ジカルボン酸の金属塩のいずれかまたは両方  ２０〜４０重量部
第一リン酸塩  １〜３重量部
第二リン酸塩  ２〜４重量部
水            ７００〜１０００重量部
からなるＢ液、
セルロースのフィブリル３０〜１００重量部が１０００重量部の水に分散されてなるＣ液、
濃度１〜３重量％のケイ酸ナトリウム水溶液、
活性白土、
および界面活性剤
が重量比で１３０：３００〜６００：２００〜４００：１０〜３０：１０〜３０：３０〜６０の比率で含まれてなる組成物にクエン酸を添加してｐＨ８〜９に調整した液に、さらに該液に対して０．０１〜０．２重量％の過酸化水素を加えてなる放射能除染液であることにある。
【発明の効果】
【０００８】  本発明によると、放射能汚染された土壌やコンクリートを効率よく除染するための除染液が提供される。
【発明を実施するための形態】
【０００９】  本発明の放射能除染液は、
アルミニウム、鉄、苛性カリが水に溶解されてなる水溶液と、
トリルトリアゾール、ベンゾトリアゾールのいずれかまたは両方、脂肪族ジカルボン酸、脂肪族ジカルボン酸の金属塩のいずれかまたは両方、第一リン酸塩、第二リン酸塩、が水に溶解されてなる水溶液と、
セルロースのフィブリルが水に分散されてなる分散液と、
ケイ酸ナトリウムと、
活性白土と、
界面活性剤と
を含んでなる組成物にクエン酸を添加してｐＨ８〜９に調整した液に、さらに過酸化水素を加えてなる放射能除染液である。
【００１０】  この放射能除染液は、
アルミニウム  ５０〜２００重量部
鉄            １〜３重量部
苛性カリ      ３００重量部
水            ４００〜６００重量部
からなるＡ液、
トリルトリアゾール、ベンゾトリアゾールのいずれかまたは両方  １２０重量部
脂肪族ジカルボン酸、脂肪族ジカルボン酸の金属塩のいずれかまたは両方  ２０〜４０重量部
第一リン酸塩  １〜３重量部
第二リン酸塩  ２〜４重量部
水            ７００〜１０００重量部
からなるＢ液、
セルロースのフィブリル３０〜１００重量部が１０００重量部の水に分散されてなるＣ液、
濃度１〜３重量％のケイ酸ナトリウム水溶液、
活性白土、
および界面活性剤
が重量比で１３０：３００〜６００：２００〜４００：１０〜３０：１０〜３０：３０〜６０の比率で含まれてなる組成物にクエン酸を添加してｐＨ８〜９に調整した液に、さらに該液に該液の重量に対して０．０１〜０．２重量％の過酸化水素を加えてなる放射能除染液であることが好ましい。
【００１１】  Ｃ液は例えば、セルロースを含有する植物体をアルカリなどの薬液で処理してこの植物体に含まれるセルロースを微細なフィブリルに分解して得ることができる。
セルロースを含有する植物体としては、木材、草木、藻類、水草、コットン、麻などのセルロース繊維などが挙げられる。
【００１２】  本発明において用いられる脂肪族ジカルボン酸としては、グルタル酸、アジピン酸、ピメリン酸、スベリン酸、アゼライン酸、セバシン酸、ウンデカン二酸、ドデカン二酸、トリデカン二酸、テトラデカン二酸、ペンタデカン二酸、オクタデカン二酸、ノナデカン二酸、エイコサン二酸等が挙げられる。
【００１３】  脂肪族ジカルボン酸の金属塩としてはカリウム塩、ナトリウム塩が例示される。
第一リン酸塩、第二リン酸塩としてはそれぞれのカリウム塩、ナトリウム塩が例示される。
【００１４】  本発明において用いられる界面活性剤としては、公知のノニオン性、アニオン性、カチオン性、両性界面活性剤などを用いることができる。
【００１５】  ノニオン性界面活性剤としては、例えば、ポリオキシエチレンアルキルエーテル類、ポリオキシエチレンポリオキシプロピレンアルキルエーテル類、などが挙げられる。
アニオン性界面活性剤としては、例えば、アルキルスルホン酸塩類、アルキルベンゼンスルホン酸塩類、アルキルナフタレンスルホン酸塩類などが挙げられる。カチオン性界面活性剤としては、例えば、第４級アンモニウム塩類、イミダゾリン誘導体類、アルキルアミン塩類などが、挙げられる。両性界面活性剤としては、例えば、ベタイン型化合物類、イミダゾリウム塩類、アミノ酸類などが挙げられる。界面活性剤は２種類以上の組み合わせで用いられてもよい。
【実施例】
【００１６】実施例１
放射能除染液
アルミニウム粉１００ｇ、鉄粉２ｇ、苛性カリ３００ｇ、水５９８ｇを混合してＡ液を得た。
第一リン酸カリウム２ｇ、第二リン酸カリウム３ｇ、トリルトリアゾール（城北化学工業株式会社製）１２０ｇ、セバシン酸３０ｇ、水８４５ｇを混合してＢ液を得た。
琵琶湖に生息している水草（オオカナダモ）（乾燥重量３００ｇ）を用い、ｐＨ１３のカセイカリ水溶液３Ｌに２４時間浸漬したのち水洗し、ｐＨ２のクエン酸水溶液４Ｌに投入した。この試料を投入状態のクエン酸水溶液を１２１℃に昇温し、１０時間この温度にキープした。次いでこの試料を投入状態のクエン酸水溶液を室温に自然冷却後カセイカリを加えて中和し、ミキサーで攪拌しＣ液を得た。【００１７】Ａ液１３０ｇ、Ｂ液４５０ｇ、Ｃ液３００ｇ、濃度（水溶液に対する溶質の比率）２重量％のケイ酸ナトリウム水溶液２０ｇ、活性白土２０ｇ、台所用洗剤（商品名：コープクリン）４０ｇを混合した混合液にクエン酸を添加して混合液のｐＨを８に調整した。さらにこの混合液の重量に対して０．０５重量％の過酸化水素を添加して放射能除染液を得た。【００１８】実施例２
放射能除染液
アルミニウム粉８０ｇ、鉄粉１．５ｇ、苛性カリ３５０ｇ、水６００ｇを混合してＡ液を得た。
第一リン酸ナトリウム２ｇ、第二リン酸カリウム３ｇ、ベンゾトリアゾール１５０ｇ、ドデカン二酸４０ｇ、水９００ｇを混合してＢ液を得た。
実施例１と同様にしてＣ液を得た。【００１９】Ａ液１５０ｇ、Ｂ液４００ｇ、Ｃ液３５０ｇ、濃度（水溶液に対する溶質の比率）１．５重量％のケイ酸ナトリウム水溶液２５ｇ、活性白土３０ｇ、台所用洗剤（商品名：コープクリン）３５ｇを混合した混合液にクエン酸を添加して混合液のｐＨを８．５に調整した。さらにこの混合液の重量に対して０．０７重量％の過酸化水素を添加して放射能除染液を得た。【００２０】除染効果の確認
試料土壌：平成２３年８月１８日に福島県飯館村深谷地区において採取した土壌を用いた。
試料の調整：上方に開口した縦横５ｃｍ、深さ２ｃｍの方形の容器の内底面に試料土壌を厚さ１ｃｍになるように敷き詰めた。
除染操作：敷き詰めた試料土壌の上から８ｃｃの放射能除染液を万遍なく散布した。
放射能測定：放射能測定器（ガイガーカウンタ：ＦＬＵＫ４５１）を用いて放射能除染液を散布してから１０分後の、敷き詰めた試料土壌の表面から上方に５ｍｍの位置の放射能を測定した。【００２１】比較例１
放射能除染液に替えて水を用いたほかは実施例と同様にして敷き詰めた試料土壌の表面から上方に５ｍｍの位置の放射能を測定した。【００２２】実施例１、２および比較例１における放射能の測定結果を表１に示す。【００２３】
【表１】
2013057649.tif 000002
【００２４】表１に示すように、水を土壌に散布した場合は土壌の放射能が低減されないが、実施例１、２の放射能除染液を放射能汚染土壌に散布することにより土壌の放射能が低減されることがわかった。
実施例３
放射能除染液
実施例１と同様にして作成した。【００２５】除染効果の確認
放射能測定を、放射能除染液を散布する直前と散布してから４時間後に行ったほかは実施例１と同様の測定を行った。【００２６】比較例２
実施例１と同様の土壌につき、敷き詰めた試料土壌を敷き詰めた直後とそのまま４時間放置したあとの放射能測定を実施例３と同様に行った。【００２７】実施例３よび比較例２における放射能の測定結果を表２に示す。【００２８】
【表２】
2013057649.tif 000003
【００２９】表２に示すように、実施例３の放射能除染液を土壌に散布することにより土壌の放射能が低減されることがわかった。【００３０】実施例４
除染効果の確認
試料：福島県飯館村深谷地区の建造物の雨樋の雨水出口直下に埋まっていた直径約２０ｃｍの石１個を平成２３年８月１８日に採取して用いた。
放射能測定対象：（１）  石の採取直後、
（２）  石を実施例１で用いた放射能除染液に浸漬して１日経過させて                        取り出した直後
（３）  （２）の操作の直後に再び実施例１で用いた放射能除染液に浸                        漬して１日経過させて取り出した直後
（４）  （３）の操作の直後に再び実施例１で用いた放射能除染液に浸                        漬して１日経過させて取り出した直後
の４ケースにつき実施した。
放射能測定：放射能測定器（ガイガーカウンタ：ＦＬＵＫ４５１）を用いて感知部を石にできるだけ近づけて放射能を測定した。測定結果を表３に示す。
2013057649.tif 000004
【００３１】表２に示すように、実施例１の放射能除染液に放射能を帯びた石を浸漬することにより石の放射能が低減されることがわかった。
【産業上の利用可能性】
【００３２】本発明により得られる放射能除染液は放射能汚染された地面、建造物などの除染に好適に使用できる。